(57)【要約】      （修正有）【課題】包装箱等に入れて商品化される各種小物品に対して購入意欲を刺激するおまけ物品として平面シートでありながら所定の折り曲げ操作によってキャラクター形状などを形作ることができるシート状折り紙を付属させる新たな商品を提供する。【解決手段】所定箇所を順番に折り曲げ操作することで一定の形状が完成するシート材料３を鉛筆１、鉛筆キャップ４、消しゴム６などの小物品商品の包装ケース２、４、７内または小物品自体に収納して販売時には購入者が外部から見えないようにし、おまけ的物品として各種小物品と組合わせ商品化する折り紙シートおまけ付き小物品商品。【選択図】図１
0003122209.tif 000002
【実用新案登録請求の範囲】
【請求項１】
所定箇所を順番に折り曲げ操作することで一定の形状が完成するシート材料を鉛筆、鉛筆キャップ、消しゴムなどの小物品商品の包装ケース内または小物品自体に収納して販売時には購入者が外部から見えないようにし、おまけ的物品として各種小物品と組合わせ商品化することを特徴とする折り紙シートおまけ付き小物品商品。
【請求項２】
完成される一定の形状に適合した着色や模様付けが予め行われていることを特徴とする請求項１に記載の折り紙シートおまけ付き小物品商品。
【考案の詳細な説明】
【技術分野】
【０００１】  本考案は、包装箱等に入れて商品化される各種小物品に対して購入意欲を刺激するおまけ物品として平面シートでありながら所定の折り曲げ操作によってキャラクター形状などを形作ることができるシート状折り紙を付属させる新たな商品を提案するものである。
【背景技術】
【０００２】  各種文房具や日用品その他の小物品を販売するに際して、学童などの特定の購入者層に人気のある「おまけ物品」を付けることで販売量向上を図ることが一般的に行われている。【０００３】  すなわち、人気のあるキャラクターの小人形を付属させたりそのシールを一緒にして販売するようなことが普通に行われているのである。【０００４】  人気キャラクターの小人形を付属させる場合には専用の小箱などを利用するが、キャラクターシールなどを一緒にする際には普通の包装用箱などにそのまま封入するのが一般的である。【０００５】  シート状材料を利用した折り紙作品は多様なキャラクター形状を実現したものなど多くの作品が創作されており、所望の形状を折り曲げ操作により具体化するための技術も確立されている。
また、おまけ物品を外部から見えないように包装体に収容することに関しては以下のような先行文献がある。
【特許文献１】  登録実用新案第３０８３６８５号公報
【考案の開示】
【考案が解決しようとする課題】
【０００６】  小物品商品に「おまけ物品」を付属させるに関して、キャラクター小人形の如きを専用包装箱に入れるのでは、かえって「おまけ用の箱」の方が嵩張るようなことになりかねず、本末転倒した商品の販売形態となってしまうおそれが強い。【０００７】  キャラクターシールは平面的な絵模様に過ぎず組立てるといった創作的楽しみを実現することに関しては適していない。【０００８】  さらに、多様な形状を具体化する折り紙作品が多数存在していても、これらを購入者が折り曲げ操作して組立て完成するものとして、小物品商品の「おまけ」として利用することは今まで成されてきていない。
【課題を解決するための手段】
【０００９】  本考案は、本考案は、上気したような課題を研究・検討した結果に基づいて創案されたものであり、文房具その他の各種小物品商品の包装用パッケージなどを利用してシート状材料による様々な折り紙作品をセットとすることで需要者の興味や嗜好性に合わせた新たな新商品を提供しようとするものであって、具体的には以下の如くである。【００１０】（１）所定箇所を順番に折り曲げ操作することで一定の形状が完成するシート材料を鉛筆、鉛筆キャップ、消しゴムなどの小物品商品の包装ケース内または小物品自体に収納して販売時には購入者が外部から見えないようにし、おまけ的物品として各種小物品と組合わせ商品化することを特徴とする折り紙シートおまけ付き小物品商品。【００１１】（２）完成される一定の形状に適合した着色や模様付けが予め行われていることを特徴とする前記（１）項に記載の折り紙シートおまけ付き小物品商品。
【実施例】
【００１２】  所定箇所を順番に折り曲げ操作することで一定の形状が完成するシート材料を鉛筆、鉛筆キャップ、消しゴムなどの小物品商品の包装ケース内または小物品自体に収納して販売時には購入者が外部から見えないようにし、おまけ的物品として各種小物品と組合わせ商品化することにより、おまけ物品収納のために特別な包装箱などを使用しないでも多様なカスタマイズ可能な折り紙的おまけ物品を付属させて購入者の意向に沿った商品展開が可能になる。【００１３】  完成される一定の形状に適合した着色や模様付けが予め行われていることで、より完成度の高い折り紙作品をおまけ物品として各種小物商品に付属させることができるようになる。【００１４】  本考案の具体的な実施形態に関して、添付図面を利用しながら以下説明する。
図１は、鉛筆１を２本又は３本入れて販売する鉛筆包装箱２に本考案の折り紙用のシート材料３を収納させる場合の１例を示したものである。シート材料３は収納する箱２のサイズに合わせて２つ折り等して鉛筆１の収容を何ら阻害しない状態で収納されるもので、おまけ物品であるシート材料３を収納するために鉛筆包装箱２に特別な変更を加える必要はまったくない。【００１５】  また、本考案では鉛筆１の購入者が事前におまけ物品の具体的内容を知ることができないように、鉛筆包装箱２の外部からは見ることができないようにしているので、購入者はコレクション性などを求めて本考案商品を選択するようにできるのである。【００１６】  図２は、鉛筆キャップ４を販売する際に本考案の折り紙的シート材料３を付属させる場合の若干例について示したものである。
すなわち、この場合にはシート材料３を筒状に丸めて鉛筆キャップ４そのものに収納させることができる。この場合にも購入者は実際に商品を購入した後でなければ具体的なシート材料３の内容を知ることができないようになっている。【００１７】  また、図示するように鉛筆キャップ包装箱５に２つ折りしたシート材料３を収納することも当然可能で、この場合は図１に示した鉛筆包装箱２の場合と同様である。【００１８】  図３は、消しゴム６とその収容用スリーブ７との間に本考案の折り紙的シート材料３を収納させる場合の１例を示している。この場合にも消しゴム６を実際に販売する際にはさらに透明なラッピングを施した状態で陳列されているので、実際に購入した後でないとシート材料３の詳細を知ることはできない。【００１９】  図４は、本考案の折り紙的シート材料３の表面に予め施しておく彩色や模様、図柄についての若干例と、完成させた折り紙作品の若干例を示したものである。
このように完成状態に適合した彩色や模様、図柄の記載を行っておくことで、より一層美麗な折り紙作品を得ることが可能となるのである。【００２０】  以上説明したように本考案によるときは、従来にないおまけ物品としての折り紙作品を特別な収納手段を利用することなく通常の小物品包装パッケージなどに収納して新たな商品化を図ることが容易に可能であり、ことさらな費用をかけずに需要者の嗜好に沿った商品展開を提案することが可能になるものであって、新規な需要を喚起するものとして産業上の利用可能性において優れた考案であると理解されるものである。
【図面の簡単な説明】
【００２１】
【図１】  本考案を鉛筆収納箱に収容する場合の１例について説明する図面である。
【図２】  本考案を鉛筆キャップやその収容箱に採用する場合の１例について説明する図面である。
【図３】  本考案を消しゴムとその収容スリーブの間に収納するように利用する場合の例を説明する図面である。
【図４】  本考案の折り紙的シート材料表面に彩色や模様、図柄を施した場合の若干例を示した説明図面である。
【符号の説明】
【００２２】  １    鉛筆
２    鉛筆包装箱
３    折り紙的シート状材料
４    鉛筆キャップ
５    鉛筆キャップ包装箱
６    消しゴム
７    消しゴム収容用スリーブ
【図１】
0003122209.tif 000003
【図２】
0003122209.tif 000004
【図３】
0003122209.tif 000005
【図４】
0003122209.tif 000006